(57)【要約】【課題】管理と操作が簡便で、きめ細かいサポートサービスをすることを可能とする。【解決手段】独立設置型の画像表示装置であって、スクリーン５を備えた表示板１と、当該画像表示装置を水平な床面に正立させたとき、表示板のスクリーンを備えた面を、床面に対して傾斜させて支持する支持フレーム３と、この支持フレーム３に表示板１とともに固定されて、表示板のスクリーンに画像を投影するプロジェクタ１１と、スクリーン５に投影される画像の画像データ２３を記憶し、プロジェクタ１１に着脱自在に装着される記憶媒体２０とを備え、プロジェクタ１１には、指定された動作時間中に動作し、記憶媒体２０から画像データ２３を読み出して、連続的に当該画像データを再生し、プロジェクタ１１の投影動作を制御する画像表示制御手段３３を設けた。【選択図】  図１
2005202128.tif 000002
【特許請求の範囲】
【請求項１】
独立設置型の画像表示装置であって、
スクリーンを備えた表示板と、
当該画像表示装置を水平な床面に正立させたとき、前記表示板のスクリーンを備えた面を、前記床面に対して傾斜させて支持する支持フレームと、
前記支持フレームに前記表示板とともに固定されて、前記スクリーンに画像を投影するプロジェクタと、
前記スクリーンに投影される画像の画像データを記憶し、前記プロジェクタに着脱自在に装着される記憶媒体とを備え、
前記プロジェクタには、指定された動作時間中に動作し、前記記憶媒体から前記画像データを読み出して、連続的に当該画像データを再生し、プロジェクタの投影動作を制御する画像表示制御手段を設けたことを特徴とする画像表示装置。
【請求項２】
独立設置型の画像表示装置であって、
スクリーンを備えた表示板と、
当該画像表示装置を水平な床面に正立させたとき、前記表示板のスクリーンを備えた面を、前記床面に対して傾斜させて支持する支持フレームと、
前記支持フレームに前記表示板とともに固定されて、前記スクリーンに画像を投影するプロジェクタとを備え、
前記プロジェクタには、
前記スクリーンに投影される画像の画像データを記憶した記憶媒体と、
非接触インタフェースを介して前記画像データの転送を受けて、前記記憶媒体に当該画像データを記憶させる、画像データ記録手段と、
指定された動作時間中に動作し、前記記憶媒体から前記画像データを読み出して、連続的に当該画像データを再生し、プロジェクタの投影動作を制御する画像表示制御手段を設けたことを特徴とする画像表示装置。
【請求項３】
請求項１又は２に記載の画像表示装置において、
前記記憶媒体には、複数台の画像表示装置にそれぞれ別個に表示される複数の画像データが記憶されており、
プロジェクタには、
記憶媒体が装着された１台の画像表示装置を他の画像表示装置と区別するための識別情報を取得する手段と、前記複数の画像データの中から前記識別情報により特定された画像データを選択して、前記画像表示制御手段に対して当該選択した画像データを通知する、画像データ選択手段とが設けられ、前記画像表示制御手段は、前記画像データ選択手段から通知された画像データを前記記憶媒体から読み出して、当該画像データを再生し、プロジェクタの投影動作を制御することを特徴とする画像表示装置。
【請求項４】
請求項１に記載の画像表示装置において、
前記記憶媒体には、所定の順に表示される複数の画像データと、これら複数の画像データの表示順と表示タイミングを示すスケジュール情報が記憶されており、
プロジェクタには、
前記記憶媒体に記憶された前記複数の画像データの中から、前記スケジュール情報に示された表示順に従って画像データを選択して、前記画像表示制御手段に対して、前記スケジュール情報に示されたタイミングで当該選択した画像データを通知する画像データ選択手段が設けられ、前記画像表示制御手段は、前記画像データ選択手段から通知された画像データを前記記憶媒体から読み出して再生し、プロジェクタの投影動作を制御することを特徴とする画像表示装置。
【請求項５】
スクリーンを備えた表示板と、この表示板を支持する支持フレームと、この支持フレームに前記表示板とともに固定されて、前記スクリーンに画像を投影するプロジェクタとを備えた独立設置型の画像表示装置の、前記プロジェクタに対して着脱自在に装着されるものであって、
複数台の画像表示装置にそれぞれ別個に表示される複数の画像データと、
記憶媒体が装着される各画像表示装置を他の画像表示装置と区別するための識別情報と前記複数の画像データとの対応関係を示す管理情報を記憶したことを特徴とする記憶媒体。
【請求項６】
スクリーンを備えた表示板と、この表示板を支持する支持フレームと、この支持フレームに前記表示板とともに固定されて、前記スクリーンに画像を投影するプロジェクタとを備えた独立設置型の画像表示装置の、前記プロジェクタに対して着脱自在に装着されるものであって、
複数台の画像表示装置にそれぞれ別個に表示される複数の画像データと、
これら複数の画像データの表示順と表示タイミングを示すスケジュール情報とを記憶したことを特徴とする記憶媒体。
【請求項７】
スクリーンを備えた表示板と、この表示板を支持する支持フレームと、この支持フレームに前記表示板とともに固定されて、前記スクリーンに、記憶媒体に記憶された画像データによる画像を投影するプロジェクタとを備えた独立設置型の画像表示装置の、前記プロジェクタのコンピュータを、
前記記憶媒体が装着された１台の画像表示装置を他の画像表示装置と区別するための識別情報を取得する手段と、
前記記憶媒体に記憶された複数の画像データの中から前記識別情報により特定された画像データを選択する画像データ選択手段と、
前記画像データ選択手段の選択した画像データを前記記憶媒体から読み出して再生し、プロジェクタの投影動作を制御する画像表示制御手段、
として機能させることを特徴とする画像表示装置用プログラム。
【請求項８】
スクリーンを備えた表示板と、この表示板を支持する支持フレームと、この支持フレームに前記表示板とともに固定されて、前記スクリーンに、記憶媒体に記憶された画像データによる画像を投影するプロジェクタとを備えた独立設置型の画像表示装置の、前記プロジェクタのコンピュータを、
前記記憶媒体に記憶されたスケジュール情報を読み出し、前記記憶媒体に記憶された複数の画像データの中から、前記スケジュール情報に示された表示順に従って特定された画像データを選択する画像データ選択手段と、
前記画像データ選択手段の選択した画像データを前記記憶媒体から読み出して再生し、プロジェクタの投影動作を制御する画像表示制御手段、
として機能させることを特徴とする画像表示装置用プログラム。
【発明の詳細な説明】
【技術分野】
【０００１】
本発明は、店頭での広告案内表示などに適するプロジェクタを使用した画像表示装置と画像表示装置用記憶媒体と画像表示装置用プログラムに関する。
【背景技術】
【０００２】
百貨店やスーパーマーケット、あるいは量販店などにおいて、顧客に店内の案内をしたり、商品の案内をするために、ポスターに代わって、テレビジョン式の画像表示装置が広く利用されている。こうした画像表示装置は、ポスターと比較すると、様々な画像を繰り返し表示して動画などを交えるので、広告宣伝効果が高く、要所要所に採用する店舗が増加している。液晶プロジェクタを利用して、スクリーンに画像を表示する大型の画像表示装置も開発されている（特許文献１、特許文献２参照）。
【特許文献１】特開平９−１５４０８８号公報
【特許文献２】特開２００３−１３６８９２号公報
【発明の開示】
【発明が解決しようとする課題】
【０００３】
ところで、上記のような従来の技術には、次のような解決すべき課題があった。
プラズマディスプレイを用いた大型のスクリーンに様々な宣伝広告画面を表示すれば、顧客が遠くからその内容を知ることができ、多数の顧客に対する宣伝効果がある。一方、例えば、百貨店の一つのフロアに多数のテナントがそれぞれ個別に店を出しているような場合に、全てのテナントの広告を順番に表示する大型の画像表示装置よりも、各戸別に独自の商品紹介画面を継続的に表示する画像表示装置が提供されることが望ましい。しかしながら、表示される画像の操作や管理が煩雑では、画像表示装置の普及が図れない。
本発明は、以上の点に着目してなされたもので、管理と操作が簡便で、きめ細かいサポートサービスをすることが可能な画像表示装置と画像表示装置用記憶媒体と画像表示装置用プログラムを提供することを目的とする。
【課題を解決するための手段】
【０００４】
本発明は次の構成により上記の課題を解決する。
〈構成１〉独立設置型の画像表示装置であって、スクリーンを備えた表示板と、当該画像表示装置を水平な床面に正立させたとき、上記表示板のスクリーンを備えた面を、上記床面に対して傾斜させて支持する支持フレームと、上記支持フレームに上記表示板とともに固定されて、上記スクリーンに画像を投影するプロジェクタと、上記スクリーンに投影される画像の画像データを記憶し、上記プロジェクタに着脱自在に装着される記憶媒体とを備え、上記プロジェクタには、指定された動作時間中に動作し、上記記憶媒体から上記画像データを読み出して、連続的に当該画像データを再生し、プロジェクタの投影動作を制御する画像表示制御手段を設けたことを特徴とする画像表示装置。
【０００５】
この画像表示装置は独立設置型であり、任意の場所に設置でき、自由に移動できる。表示板のスクリーン面を床面に対して傾斜させて支持するから、表示される画像は近づいて立った状態で見るような構造をしている。画像データは、プロジェクタに着脱自在に装着された記憶媒体から読み出されるから、内容の追加変更が容易である。画像表示制御手段は、記憶媒体に記憶された画像データを読み出して、連続的に再生し、プロジェクタの投影動作を制御するので、装置を店頭に配置して、外部からの制御無しで、長時間店舗案内等を表示させておくのに適する。
【０００６】
〈構成２〉独立設置型の画像表示装置であって、スクリーンを備えた表示板と、当該画像表示装置を水平な床面に正立させたとき、上記表示板のスクリーンを備えた面を、上記床面に対して傾斜させて支持する支持フレームと、上記支持フレームに上記表示板とともに固定されて、上記スクリーンに画像を投影するプロジェクタとを備え、上記プロジェクタには、上記スクリーンに投影される画像の画像データを記憶した記憶媒体と、非接触インタフェースを介して上記画像データの転送を受けて、上記記憶媒体に当該画像データを記憶させる、画像データ記録手段と、指定された動作時間中に動作し、上記記憶媒体から上記画像データを読み出して、連続的に当該画像データを再生し、プロジェクタの投影動作を制御する画像表示制御手段を設けたことを特徴とする画像表示装置。
【０００７】
この画像表示装置では、画像データが、プロジェクタに設けられた記憶媒体から読み出される。例えば、赤外線インタフェースのような非接触インタフェースを介して記憶媒体に画像データを書き込むので、管理や書き換えが容易な効果がある。画像表示制御装置が外部からの制御無しに自動的にプロジェクタの投影動作を制御するので、管理が容易である。
【０００８】
〈構成３〉構成１又は２に記載の画像表示装置において、上記記憶媒体には、複数台の画像表示装置にそれぞれ別個に表示される複数の画像データが記憶されており、プロジェクタには、記憶媒体が装着された１台の画像表示装置を他の画像表示装置と区別するための識別情報を取得する手段と、上記複数の画像データの中から上記識別情報により特定された画像データを選択して、上記画像表示制御手段に対して当該選択した画像データを通知する、画像データ選択手段とが設けられ、上記画像表示制御手段は、上記画像データ選択手段から通知された画像データを上記記憶媒体から読み出して、当該画像データを再生し、プロジェクタの投影動作を制御することを特徴とする画像表示装置。
【０００９】
複数の画像表示装置がある場合に、画像表示装置ごとに独自の画像を表示できる。しかし、記憶媒体には、複数の画像データを一括して記憶させて、記憶媒体を共通化する。必要な画像データを個別に選択して表示する。例えば、多数のテナントが入った百貨店用の記憶媒体を、一括して同じ内容で生産して、記憶媒体生産のためのコストを削減できる。また生産した記憶媒体をユーザに配布するとき、届け出先の間違いが発生するおそれがなくなる。識別情報は装置番号等である。
【００１０】
〈構成４〉構成１に記載の画像表示装置において、上記記憶媒体には、所定の順に表示される複数の画像データと、これら複数の画像データの表示順と表示タイミングを示すスケジュール情報が記憶されており、プロジェクタには、上記記憶媒体に記憶された上記複数の画像データの中から、上記スケジュール情報に示された表示順に従って画像データを選択して、上記画像表示制御手段に対して、上記スケジュール情報に示されたタイミングで当該選択した画像データを通知する画像データ選択手段が設けられ、上記画像表示制御手段は、上記画像データ選択手段から通知された画像データを上記記憶媒体から読み出して再生し、プロジェクタの投影動作を制御することを特徴とする画像表示装置。
【００１１】
スケジュール情報は、例えば、画像データファイルの属性データでよい。また、画像データファイルとは独立したデータファイルでもよい。記憶媒体に画像データを書き込むときに、表示順や表示タイミングを記憶媒体に書き込んでおき、記憶媒体装着後の画像表示装置の動作を自動的に制御することができる。従って、ユーザによる画像表示装置の操作が簡便になる。
【００１２】
〈構成５〉スクリーンを備えた表示板と、この表示板を支持する支持フレームと、この支持フレームに上記表示板とともに固定されて、上記スクリーンに画像を投影するプロジェクタとを備えた独立設置型の画像表示装置の、上記プロジェクタに対して着脱自在に装着されるものであって、複数台の画像表示装置にそれぞれ別個に表示される複数の画像データと、記憶媒体が装着される各画像表示装置を他の画像表示装置と区別するための識別情報と上記複数の画像データとの対応関係を示す管理情報を記憶したことを特徴とする記憶媒体。
【００１３】
各ユーザが自己の画像表示装置に記憶媒体を装着すると、識別情報と前記複数の画像データとの対応関係を示す管理情報により、記憶媒体中に記憶された画像データのうち、該当する画像データが自動的に読み出される。
【００１４】
〈構成６〉スクリーンを備えた表示板と、この表示板を支持する支持フレームと、この支持フレームに上記表示板とともに固定されて、上記スクリーンに画像を投影するプロジェクタとを備えた独立設置型の画像表示装置の、上記プロジェクタに対して着脱自在に装着されるものであって、複数台の画像表示装置にそれぞれ別個に表示される複数の画像データと、これら複数の画像データの表示順と表示タイミングを示すスケジュール情報とを記憶したことを特徴とする記憶媒体。
【００１５】
画像表示装置に記憶媒体を装着すると、記憶媒体からスケジュール情報が読み出され、そのスケジュール情報に示されたタイミングで画像データが選択されて、プロジェクタにより投影表示される。
【００１６】
〈構成７〉スクリーンを備えた表示板と、この表示板を支持する支持フレームと、この支持フレームに上記表示板とともに固定されて、上記スクリーンに、記憶媒体に記憶された画像データによる画像を投影するプロジェクタとを備えた独立設置型の画像表示装置の、上記プロジェクタのコンピュータを、上記記憶媒体が装着された１台の画像表示装置を他の画像表示装置と区別するための識別情報を取得する手段と、上記記憶媒体に記憶された複数の画像データの中から上記識別情報により特定された画像データを選択する画像データ選択手段と、上記画像データ選択手段の選択した画像データを上記記憶媒体から読み出して再生し、プロジェクタの投影動作を制御する画像表示制御手段、として機能させることを特徴とする画像表示装置用プログラム。
【００１７】
構成３の動作を実現するコンピュータプログラムの発明である。
【００１８】
〈構成８〉スクリーンを備えた表示板と、この表示板を支持する支持フレームと、この支持フレームに上記表示板とともに固定されて、上記スクリーンに、記憶媒体に記憶された画像データによる画像を投影するプロジェクタとを備えた独立設置型の画像表示装置の、上記プロジェクタのコンピュータを、上記記憶媒体に記憶されたスケジュール情報を読み出し、上記記憶媒体に記憶された複数の画像データの中から、上記スケジュール情報に示された表示順に従って特定された画像データを選択する画像データ選択手段と、上記画像データ選択手段の選択した画像データを上記記憶媒体から読み出して再生し、プロジェクタの投影動作を制御する画像表示制御手段、として機能させることを特徴とする画像表示装置用プログラム。
【００１９】
構成４の動作を実現するコンピュータプログラムの発明である。
【発明を実施するための最良の形態】
【００２０】
本発明の画像表示装置は、ショッピングセンター、百貨店、飲食店、ホテル、テナントが多数入居する商業施設等において、各テナントの店頭に配置して使用するのに適する。表示される画像は、テナントの店の紹介や商品の紹介、その他テナントが要求する任意のコンテンツ画像を編集したものとなる。本発明の画像表示装置は、独立設置型のもので、プロジェクタを用いて画像を表示する。画像データは、例えば、着脱自在でいつでも差し替えのできるメモリカードのような記憶媒体に編集されて記憶される。全体として、スタンドのように利用され、自由な場所に移動して利用できる。
【実施例１】
【００２１】
図１は本発明の画像表示装置の具体例を示すブロック図である。
図１に示す画像表示装置は、画像を表示する表示板１を、支持フレーム３で支持した構成のものである。表示板１は、例えば、アクリル樹脂のような透明な材料からなる。この下側の面には、スクリーン５が設けられている。このスクリーン５は、半透明のフィルムでもよいし、表示板１の裏面をすりガラス状に加工した部分でも構わない。ここに、後述するプロジェクタから投影された画像が結像する。表示板１が透明体からなるので、スクリーン５に結像した画像は、斜め上から見ることができる。
【００２２】
即ち、図のように、支持フレーム３は、画像表示装置を水平な床面に正立させたときに、表示板１のスクリーン５を備えた面を、床面に対して傾斜させて支持している。この支持フレーム３にプロジェクタ１１が、表示板１とともに固定されていて、スクリーン５に画像を投影する。このような構造にすると、表示板１から少し離れると、外光が表示板１の面で反射するため、画像は見にくくなる。従って、この画面を立った状態でよく見るために、通行人を装置の近くまで引き寄せる効果がある。
【００２３】
図２は、画像表示装置の拡大斜視図である。
収納部１０には、投影用ビームを発射するプロジェクタ１１が収納されている。プロジェクタ１１から発射された投影用ビームは、収納部１０に設けられた窓１５の部分で反射されて、上方に向きを変え、窓１５を通過してスクリーン５に投影される。支持フレーム３は、アルミニウムパイプ等から構成される。支持フレーム３は傾斜部３Ａと垂直部３Ｂと水平部３Ｃとアーム３Ｄと架台３Ｆとを備える。アーム３Ｄは、傾斜部３Ａの側面から４本突き出しており、これらが表示板１をねじ止め支持する。横棒３Ｅは、支持フレーム３の補強のために設けられている。架台３Ｆは、収納部１０を支持フレーム３に固定して支持するためのものである。
【００２４】
再び図１に戻って、プロジェクタ１１には、その動作制御のために、図１に示す回路ブロックが設けられている。即ち、コネクタ３１、ハードディスク３２、画像表示制御手段３３、電源回路３４、液晶駆動部３５、及びリモートコントローラインタフェース３６が設けられている。コネクタ３１には、記憶媒体２０、例えば、ここでは、半導体記憶装置を組み込んだメモリカードが着脱自在に装着される。この記憶媒体２０には、表示板１に表示されるべき画像を編集した画像データ２３が記憶されている。
【００２５】
ハードディスク３２は、必要に応じてこの画像データ２３を記憶媒体２０に記憶させたり、あるいは、様々なパラメータや制御用プログラムを記憶させるためのものである。なお、プロジェクタ１１に記憶させておくべきデータ量が少ないときは、このハードディスク３２の代わりに、フラッシュメモリ等の低容量のメモリを搭載すればよい。画像表示制御手段３３は、コネクタ３１に装着された記憶媒体２０から画像データ２３を読み出して、表示板１に表示させる画像を生成し、液晶駆動部３５に供給する機能を持つ。画像表示制御手段３３はコンピュータプログラムなどからなる。
【００２６】
液晶駆動部３５は、よく知られた液晶プロジェクタの投影画像制御化に組み込まれた部分であり、画像データ２３を、光源で照射された透過型液晶パネルに表示する機能を持つ。この部分は既知のため、詳細な説明は省略する。電源回路３４は、装置を駆動するためのもので、一般の商用電源やバッテリなどからなる。リモートコントローラインタフェース３６は、管理者がリモートコントローラを用いて、装置のオンオフや画像データの再生指示を入力するために用意されたものである。図１の例では、管理者がリモートコントローラ２５を持って装置に近づき、収納箱１０に収納されたプロジェクタ１１を遠隔操作することができる。
【００２７】
図２に示すように、収納部１０に収容されたプロジェクタ１１には、メモリスロット１２が設けられており、この内部に、図１に示したコネクタ３１が収容されている。このコネクタ３１に記憶媒体２０が装着される。なお、この画像表示装置は、商店の店頭等に配置されることから、部外者によるプロジェクタ１１の不用意な操作を防ぐ必要がある。このため、収納箱１０に鍵付きの蓋１７を設け、この蓋１７を開閉して記憶媒体２０を脱着するようにしている。この画像表示装置は、記憶媒体２０を装着することによって、記憶された画像データを自動的に表示板１に表示する。記憶媒体２０を交換すれば、別の画像が表示される。操作が非常に簡単で、ネットワーク等への接続操作も無いから、管理が容易である。従って、例えば、午前中と午後と夜とでは、別々のメニューで画像を表示させることも自由にできる。また、記憶媒体２０に記憶された画像データ、いわゆるコンテンツは、店舗の所有者が自作してもよいし、専門の管理会社が制作して供給するようにしてもよい。
【００２８】
図３は、上記の画像表示装置の具体的な動作を示すフローチャートである。
まず、ステップＳ１において、画像表示装置の電源が投入され、プロジェクタ１１の起動スイッチがオンされる。ステップＳ２では、プロジェクタ１１の図示しないランプが点灯する。次に、このランプ点灯と同時に、以下の画像データ準備処理が実行される。ステップＳ３では、記憶媒体２０に記憶された画像データのデータファイルが画像表示制御手段３３によって読み出される。ステップＳ４において、そのデータファイルに含まれた表示用の画像データが取得される。データファイルは、一般の、コンピュータを用いたプレゼンテーション用のアプリケーションプログラムにより、生成されたものでよい。
【００２９】
そのアプリケーションプログラムと同様の機能を持つ画像表示制御手段３３によって、液晶駆動部３５へ供給するためのイメージデータを得る。変換されたイメージデータは、例えば、ディジタルカメラで撮影して得られたような形式のデータになる。なお、表示さる画像は静止画、動画のいずれでもよい。このデータは、ステップＳ６において、バッファメモリへ格納される。例えば、図１に示したハードディスク３２に、全ての画像データを表示順に記憶させておくことができる。また、記憶媒体２０の空き領域に記憶させておいてもよい。なお、記憶媒体２０に当初から直ちに表示制御可能な形式のデータを記憶させておいてもよい。このときは、図３の破線枠で囲んだステップＳ３からステップＳ６までの処理は不要で、ステップＳ２からステップＳ７に直接進むことができる。
【００３０】
ステップＳ７で、画像表示制御手段３３は、バッファメモリへ格納したデータを例えば、画像１枚分ずつ順番に読み出す。ステップＳ８では、プロジェクタ１１の液晶駆動部３５にそのデータを転送する。これによって、よく知られた液晶プロジェクタの機能により、投影ビームが出力され、これが図２に示した表示板１のスクリーン５上に結像される。ステップＳ９では、読み出されたデータが最後のものかどうかを判断する。最後のものでなければ、再びステップＳ７に戻り、次のデータの読み出しを行う。即ち、ステップＳ７、ステップＳ８、ステップＳ９の処理を繰り返すことによってバッファメモリに格納された全ての画像データについて、順番に画像表示が行われる。
【００３１】
画像表示制御手段３３による表示制御は、よく知られたプレゼンテーションプログラムのスライドショーという機能と同様でよい。バッファメモリ中の全ての画像データについて、表示処理が終了すると、ステップＳ１０に進む。ステップＳ１０では、読み出し制御動作を初期化する。そして、ステップＳ７の直前の状態に戻る。ステップＳ１１では全ての処理が終了したかどうかを判断する。プロジェクタの動作を終了する場合には、ここで処理が終了し、その後電源をオフする。プロジェクタの表示動作を続行する場合には、ステップＳ７に戻り、再びデータを始めから順に読み出す。即ち、終了指示が無いかぎり、同じ画像データを繰り返し表示板１に表示する動作を継続する。このような制御によって、一定の時間記憶媒体２０に記憶された画像データが表示板１に連続的に表示される。
【００３２】
以上の構成によれば、記憶媒体２０に、例えば、レストランのメニューや本日のおすすめ等の案内表示画面を静止画や動画を含めて記憶させておけば、記憶媒体を装置に装着して、電源を投入するだけで、自動的にその案内表示画面をスクリーンに投影して表示することができる。また、例えば、朝食のメニュー、昼食のメニュー、夜食のメニュー等を区別する場合には、そのつど、記憶媒体を交換するだけで切り替えが可能であり、管理者に負荷がかからないという効果がある。
【実施例２】
【００３３】
上記の例では、記憶媒体２０をプロジェクタ１１のコネクタ３１に装着し、これを交換することによって、自由に新たな画像データの表示が可能である。しかし、図２に示した収納部１０の蓋１７を開いたり、記憶媒体２０を交換するための一連の作業が必要になる。実施例２の画像表示装置は、プロジェクタ１１に、画像データを記憶させるためのハードディスク等の記憶装置を用意し、よく知られた赤外線インタフェースのような非接触インタフェースを用いて、この中に画像データを書き込むものである。なお、非接触インタフェースとしては、このほかに、ブルートゥース等各種の既存のデータ転送用インタフェースを利用することができる。
【００３４】
図４は、実施例２の画像表示装置の内部回路と付属装置の内容を示す説明図である。
図４（ａ）は、非接触インタフェースを用いてプロジェクタ１１に画像データを転送するための送信器４０を示している。（ｂ）はプロジェクタ１１の内部回路ブロック図である。図４（ａ）に示すように送信器４０には、メモリスロット４１が設けられ、ここに記憶媒体２０が装着される。記憶媒体２０は、実施例１で説明したものと同様のもので、表示用の画像データが記憶されている。送信機４０には、送信ボタン４２と赤外線送信部４３とデータ転送制御装置４４と赤外線インタフェース４７が設けられている。
【００３５】
送信ボタン４２を押すと、赤外線送信部４３から赤外線が送信される。このインタフェースによりプロジェクタ１１に、記憶媒体２０に記憶された画像データが送信される。プロジェクタ側には、赤外線インタフェース４５が設けられている。赤外線インタフェースの機能はよく知られているので詳細な説明を省略するが、送信器４０との通信によって画像データがハードディスク３２に転送されて記憶される。この画像データ２３は、送信器４０の操作によりそのつど全て書き換えることができる。ハードディスク３２に記憶された画像データ２３をプロジェクタ１１で投影表示する動作は、実施例１と全く同様である。なお、図４（ａ）に示す送信機４０は、図１で説明した装置制御用のリモートコントローラ２５と一体化されていることが好ましい。即ち、図４（ａ）の送信機４０の上面に、破線で示すようなスペースを設け、そこにリモートコントローラ用の制御ボタンを配置するとよい。
【実施例３】
【００３６】
図５は、実施例３の画像表示装置の構成を示す説明図である。
この画像表示装置を、図４に示した画像表示装置と比較して説明する。この画像表示装置には、図４の画像表示装置に、スケジュール管理データメモリ４６を設けるようにした。また、画像表示装置の表示板１にタッチパネル５０を設けるようにした。タッチパネル５０を操作した信号は、タッチパネルインタフェース５６を介して画像表示装置に受け入れられる。もちろん、実施例２で説明したリモートコントローラにこのタッチパネル５０の部分に示したような画像を表示して以下の制御をするようにしても構わない。
【００３７】
図５に示すタッチパネル５０で操作する制御画面には、画像データの表示時間５１と、画像データのファイル名５２とが入力できるようになっている。表示時間５１のところには、任意の時間を数字で入力すればよい。ファイル名５２は、ドロップダウンリストによって選択する。所定のファイル名を選択すると、例えば、午前中１１時までは、朝食メニュー用のＡＡＡファイル、午前１１時から午後３時までは、昼食メニュー用のＢＢＢファイル、午後６時以降は、夕食メニュー用のＣＣＣファイルといった設定が可能になる。ボタン５３を押すと設定が確定する。ボタン５４は、入力データを初期化してキャンセルするためのものである。ボタン５３を押すと、スケジュール管理データメモリ４６に、設定したスケジュール情報が記憶される。
【００３８】
図５（ｂ）は、スケジュール管理データメモリ４６に記憶されたスケジュール情報の一例を示す。図示したように、タッチパネル５０で設定した表示時刻６１と画像データファイル名６２とが記録されている。画像表示制御手段３３は、このスケジュール情報に従って、ハードディスク３２から順番に画像データ２３を読み出して、自動的に所定のタイミングで画像データ２３を表示板１（図１）に投影表示することができる。なお、スケジュール情報は、図の例の他に、自由な形式にすることができる。例えば、１ページ１５秒で表示される画像データが４０枚あれば、１０分間でこの１セットの画像データの表示を終えるとする。このサイクルを２時間繰り返した後に、別の１セットの画像データを選択して、同様の処理を繰り返すという内容にする。このように、読み出す画像データと、その読み出し順と、表示時間と、表示繰り返し数等の情報をスケジュール情報として、自動的な画像の投影表示制御が可能になる。
【実施例４】
【００３９】
図６は記憶媒体に記憶された情報の実施例を示す説明図である。
上記の実施例では、記憶媒体２０に記憶された画像データ２３を表示するためのスケジュールを、タッチパネル等の操作手段を用いて入力した。しかしながら、例えば、画像データを編集して利用者に提供するサービス会社側では、朝食用メニュー、昼食用メニュー、夕食用メニュー用の画像データを区別できる。また、利用者から、これらの画像データの表示スケジュールの通知を受けることができる。従って、サービス会社側で予めスケジュールデータを作成しておくことができる。
【００４０】
図６の（ａ）に示したものは、記憶媒体２０に、画像データ２３とともに、スケジュール情報５９を記憶させている。その内容は図５を用いて説明したとおりのものである。画像表示制御手段３３（図５）は、このスケジュール情報５９を読み取って、記憶媒体２０から順番に該当する画像データ２３を読み出し、投影表示制御を行う。これにより、画像データ２３の利用者は、記憶媒体２０をプロジェクタに装着するだけで、スケジュールの入力作業無しに、装置の使用を開始することができる。
【００４１】
図６（ｂ）の例では、記憶媒体２０に、管理情報６０を記憶させた。この管理情報は、図の（ｃ）に示すように、記憶媒体が装着される画像表示装置を他の画像表示装置と区別するための識別情報６５を、記憶媒体２０に記憶させた各画像データ２３のデータファイル名６６と対応させたものである。例えば、これらの画像データファイルを暗号化して、そのままでは読み取れない状態にしておく。装置を起動後に識別情報を入力すると、その装置用の画像データファイルの暗号が解読されて読み取られる。これで、関係の無い画像データの利用を防止できる。また、データ共通化によって、例えば、多数のテナントが入った百貨店用の記憶媒体を、一括して同じ内容で生産でき、記憶媒体生産のためのコストを削減できる。また多種多様な画像データを提供するサービスをするときも、各画像表示装置に必要な画像データを個々に間違いなく届けることができる。
【実施例５】
【００４２】
図７は、実施例５の画像表示装置のブロック図である。
この図の実施例は、画像データ２３に加えて、スケジュール情報５９と管理情報６０の両方を記憶した記憶媒体２０を装着して、自動的に画像の投影表示を実行する画像表示装置の例を示す。この記憶媒体２０は、例えば、一つの百貨店の多数のテナントに配布される。全てのテナントには、全く同一内容の記憶媒体２０が配布される。
【００４３】
各テナントの利用している画像表示装置には、装置を識別するための識別情報を記憶する識別情報メモリ６７が設けられている。この識別情報メモリ６７は不揮発性メモリで、一度識別情報を記録すると、装置の電源をオフしてもその情報は消えない。識別情報は、例えば、表示板１のタッチパネル５０を利用して入力する。タッチパネル５０のテンキー７１を用いて識別情報を枠７２に入力する。キャンセルボタン７４を押すと識別情報の入れ直しができる。セットボタン７３を押すと、タッチパネルインタフェース５６は入力された識別情報を取得して識別情報メモリ６７に書き込む。その後は装置を何回起動しても、入力済みの識別情報が使用される。この識別情報により、記憶媒体２０に記憶された複数の画像データのうち、いずれかの画像データが選択されて読み出される。画像データ選択手段６８は、管理情報６０を読み取って、識別情報に対応する画像データの選択を行う。その他のブロックの機能は既に説明した実施例のものとほぼ同様である。
【００４４】
図８は、図７の装置の具体的な動作を示すフローチャートである。
このフローチャートでは、プロジェクタ１１の画像データ選択手段６８や画像表示制御手段３３によるコンピュータプログラムの動作を中心に説明を行う。まず、ステップＳ２１で、プロジェクタ１１に記憶媒体２０が装着されると、画像データ選択手段６８がその装着状態を検出する。そして、識別情報メモリ６７をアクセスして、識別情報が既に登録されているかどうか判断する（ステップＳ２２）。識別情報が登録されていなければ、ステップＳ２３とステップＳ２４で識別情報の登録処理を要求する。識別情報が登録されていれば、ステップＳ２２から直接ステップＳ２５に進む。
【００４５】
ステップＳ２３では、画像データ選択手段６８は、図７で説明したようにして、タッチバネル７２等を使用した識別情報の入力を要求する。識別情報が入力されると、画像データ選択手段６８は、識別情報を識別情報メモリ６７に記憶させて、登録処理を完了する（ステップＳ２４）。なお、この識別情報の入力操作は、画像表示装置の利用者や管理者が行ってもよいが、例えば、装置の納入や保守管理をするサービスマンが行ってもよい。また、装置の納入時に既に装置固有の情報として登録されていても構わない。
【００４６】
画像データ選択手段６８は、識別情報メモリ６７から識別情報を読み取るとともに、記憶媒体２０の管理情報６０を読み出して（ステップＳ２５）、その識別情報に対応する画像データを選択する（ステップＳ２６）。そして、例えば、その画像データファイルリストを一時記憶しておく。続いてスケジュール情報５９を読み出して、読み出すべき全ての画像データを選択する（ステップＳ２７）。識別情報に対応して読み出すことができる画像データの中から、スケジュール情報５９で特定された画像データ群だけが表示用として選択されるとよい。画像データ選択手段６８から通知を受けた画像表示制御手段３３は、選択された画像データ群の中から該当する画像データを一つずつ順番に、記憶媒体２０から読み出して（ステップＳ２８）、液晶駆動部３５へ転送する（ステップＳ２９）。選択された全ての画像データが読み出されるまで、ステップＳ２８〜ステップＳ３０の動作を繰り返す。
【００４７】
全ての画像データの読み出しが終了した後は、読み出し制御の初期化をする（ステップＳ３１）。即ち、読み出しポインタの初期化等を行う。そして、装置の動作を続行する場合には、ステップＳ３２からステップＳ２７に戻り、スケジュール情報に従って、表示動作を繰り返す。即ち、同一の画像データ群を繰り返し表示したり、別の画像データ群に入れ替えて表示をすることができる。この場合でも、記憶媒体２０に予めスケジュール情報５９を記憶させておくので、利用者はプロジェクタに複雑なスケジュール設定をする必要が無いという効果がある。
【００４８】
なお、上記の各手段によるコンピュータプログラムは、それぞれ独立したプログラムモジュールを組み合わせて構成してもよいし、全体を一体化したプログラムにより構成してもよい。コンピュータプログラムにより制御される処理の全部又は一部を同等の機能を備えるハードウェアで構成しても構わない。本発明を実現するためのコンピュータプログラムは、例えばＣＤ−ＲＯＭのようなコンピュータで読み取り可能な記録媒体に記録して、任意の情報処理装置にインストールして利用することができる。また、ネットワークを通じて任意のコンピュータのメモリ中にダウンロードして利用することもできる。
【図面の簡単な説明】
【００４９】
【図１】実施例１の画像表示装置の具体例を示すブロック図。
【図２】同画像表示装置の拡大斜視図。
【図３】同画像表示装置の具体的な動作を示すフローチャート。
【図４】実施例２の画像表示装置の内部回路と付属装置の内容を示す説明図。
【図５】実施例３の画像表示装置の構成を示す説明図。
【図６】実施例４の記憶媒体の内容説明図。
【図７】実施例５の画像表示装置のブロック図。
【図８】実施例５の装置の動作フローチャート。
【符号の説明】
【００５０】
１  表示板、３  支持フレーム、５  スクリーン、１０  収納部、１１  プロジェクタ、１５  窓、２０  記憶媒体、２３  画像データ、２５  リモートコントローラ、３１  コネクタ、３２  ハードディスク、３３  画像表示制御手段、３４  電源回路、３５  液晶駆動部。
【図１】
2005202128.tif 000003
【図２】
2005202128.tif 000004
【図３】
2005202128.tif 000005
【図４】
2005202128.tif 000006
【図５】
2005202128.tif 000007
【図６】
2005202128.tif 000008
【図７】
2005202128.tif 000009
【図８】
2005202128.tif 000010